(57)【要約】【課題】便座装置の便器本体への着脱が容易であり、さらに両者の間に付着した汚れを簡単に清掃することができる便器を提供することである。【解決手段】便座装置３を備えた便器１において、磁力で前記便座装置３を便器本体２に固定した。前記便座装置３の便器本体２への取付部２ａを平坦にした。位置決め手段１３、１４を設け、該位置決め手段１３、１４によって前記便座装置３の便器本体２への取付位置を設定した。前記磁力を、永久磁石又は電磁石で形成した。【選択図】図１
2007289411.tif 000002
【特許請求の範囲】
【請求項１】
便器本体に便座装置を備えた便器において、磁力で前記便座装置を便器本体に固定したことを特徴とする便器。
【請求項２】
前記便器本体の便座装置取付部分が平坦であることを特徴とする請求項１に記載の便器。
【請求項３】
位置決め手段を設け、該位置決め手段によって前記便座装置の便器本体への取付位置を設定したことを特徴とする請求項１又は２に記載の便器。
【請求項４】
前記磁力を、永久磁石又は電磁石で形成したことを特徴とする請求項１〜３のうちのいずれか一項に記載の便器。
【発明の詳細な説明】
【技術分野】
【０００１】
本発明は、便座装置を備えた便器に関するものである。特に排便後の人体を洗浄する洗浄水や温風を供給することができる便器に関するものである。
【背景技術】
【０００２】
従来の洗浄水や温風を供給することができる便座装置を備えた便器では、便座装置側に軸を設け、便器本体（リム）側に穴を設け、便座装置側の軸を便器本体側の穴に挿入（係合）させることによって便座装置を便器本体に固定していた。便座装置自体が、ある程度の重量を有しているため、便座装置が便器本体から不意に外れてしまうことがなく、使用に関しては、何ら不都合はない。このような便座装置を備えた便器としては、例えば特許文献１に開示されている。
【特許文献１】特開２００５−１０５５４６号公報
【発明の開示】
【発明が解決しようとする課題】
【０００３】
しかし、便器本体側に設けた穴の中に埃や尿の飛び散り等の汚れが付着すると清掃が困難であり、清掃のし易さの観点からは従来の便器は改善の余地があった。そこで本発明は、便座装置の便器本体への着脱が容易であり、さらに両者の間に付着した汚れを簡単に清掃することができる便器を提供することを課題としている。
【課題を解決するための手段】
【０００４】
上記課題を解決するための請求項１の発明は、便器本体に便座装置を備えた便器において、磁力で前記便座装置を便器本体に固定したことを特徴とする便器である。請求項１の発明では、磁力で前記便座装置を便器本体に固定したので、従来のように便座装置を便器本体に固定するための軸と穴との嵌合構造を設ける必要がなく、また、便座装置の便器本体への着脱が容易になる。
【０００５】
請求項２の発明は、請求項１の発明の便器において、前記便器本体の便座装置取付部分を平坦にした。便座装置取付部分に設置される便座装置側の取付面（裏面）も平坦であることが好ましい。請求項２の発明では、便器本体の便座装置取付部分を平坦にしたので、汚れが付着しても清掃が容易であり、便器本体を清潔に保つことができる。
【０００６】
請求項３の発明は、請求項１又は２の発明の便器において、位置決め手段を設け、該位置決め手段によって前記便座装置の便器本体への取付位置を設定した。請求項３の発明では、位置決め手段を設け、該位置決め手段によって前記便座装置の便器本体への取付位置を設定したので、便座装置を便器本体の所定位置に適切に装着することができる。
【０００７】
請求項４の発明は、請求項１〜３のうちのいずれかの発明の便器において、前記磁力を、永久磁石又は電磁石で形成した。請求項４の発明では、前記磁力を、永久磁石又は電磁石で形成した。永久磁石を採用すると、電源が不要である。また、電磁石を採用すると、取り外し時に電源をＯＦＦにすることにより、便器本体から便座装置を極めて容易に取り外すことができるようになる。
【発明の効果】
【０００８】
本発明を実施すると、便座装置の便器本体への着脱が容易になり、さらに両者の間に付着した汚れを簡単に清掃することができるようになる。
【発明を実施するための最良の形態】
【０００９】
図１は、本発明を実施した洋風便器１（以下、単に便器１と呼ぶ。）の分解斜視図であり、図２は、図１の便器１を組み立てた状態の斜視図である。図１及び図２に示すように、便器１は便座装置３とリム２（便器本体）とで構成されている。便座装置３は、図示はしていないが、排便後の人体を洗浄する洗浄水や、洗浄後の人体に付着した水分を乾燥させるための温風を供給する機能を備えている。
【００１０】
図１に示すように、リム２の、便座装置３を取り付ける便座取付部２ａには二つの磁石１２ａ及び１２ｂが設けてある。磁石１２ａ及び１２ｂの上面は、便座取付部２ａの表面と面合わせされており、便座取付部２ａの表面には凹凸がない。また、便座取付部２ａには、二つの小穴１４ａ及び１４ｂが設けてある。
【００１１】
一方、便座装置３には、リム２の磁石１２ａ及び１２ｂに対応する位置に磁性体６ａ及び６ｂが設けてある。磁性体６ａ及び６ｂは、便座装置３の裏面３ａに面合わせで設置されており、便座装置３の裏面３ａには凹凸がない。磁性体は、鉄、コバルト、ニッケル等の単一金属又は合金で構成されている。
【００１２】
また、便座装置３には、リム２の小穴１４ａ及び１４ｂに対応する位置にピボット１３ａ及び１３ｂが設けてある。便座装置３の二つのピボット１３ａ及び１３ｂが、リム２の小穴１４ａ及び１４ｂと嵌合することにより、便座装置３のリム２への取付位置が固定される。
【００１３】
小穴１４ａ及び１４ｂとピボット１３ａ及び１３ｂは、便座装置３のリム２（便器本体）に対する位置決めの機能が果たせればよく、ピボット１３ａ及び１３ｂの突出高さは、例えば１ｍｍ以下であってもよく、小穴１４ａ及び１４ｂの深さは、ピボット１３ａ及び１３ｂを収容可能に、ピボット１３ａ及び１３ｂの突出高さよりも若干深く設定しておく程度でよい。よって、小穴１４ａ及び１４ｂは、便座取付部２ａに設けられた浅い窪みであり、仮に小穴１４ａ、１４ｂが汚れても、容易に清掃することができる。
【００１４】
上述の例とは逆に、磁性体６ａ及び６ｂとピボット１３ａ及び１３ｂとをリム２側に設け、磁石１２ａ及び１２ｂと小穴１４ａ及び１４ｂとを便座装置３側に設けてもよい。また、磁性体６ａ，６ｂと小穴１４ａ，１４ｂを例えばリム２側（又は便座装置側）に設け、磁石１２ａ，１２ｂとピボット１３ａ，１３ｂを便座装置３側（又はリム２側）に設けてもよい。
【００１５】
また、磁石１２ａ及び１２ｂは、永久磁石であっても電磁石であってもよい。永久磁石を採用すると、電源と電気配線とが不要になり、構成の簡素化を図ることができる。一方、電磁石を採用すると、便座装置３を取り外す際には、電源をＯＦＦにすることにより、便座装置３はリム２に対する固定が解除されるので、極めて容易に取り外すことができるようになる。便座装置３をリム２（便器本体）に設置すると、両者は磁力で固定され、ピボット１３ａ，１３ｂと小穴１４ａ，１４ｂ（位置決め手段）によって、多少の外力が作用しても両者がずれないようになっている。
【００１６】
以上のように構成された便器１では、便座装置３の裏面３ａとリム２の便座取付部２ａは、両者共に平坦であるため、便座装置３の裏面３ａをリム２の便座取付部２ａに取り付けると、両者の間には隙間が形成されない。そのため、便座装置３をリム２に装着した状態では、両者の間に埃や尿の飛び散り等によって汚れることがなく、何らかの理由で便座装置３を取り外した際に、便座取付部２ａ又は便座装置３の裏面３ａが汚れても、便座取付部２ａ又は便座装置３の裏面３ａは平坦であるため、容易に清掃することができる。
【図面の簡単な説明】
【００１７】
【図１】本発明を実施した便器の分解斜視図である。
【図２】図１の便器を組み立てた状態の斜視図である。
【符号の説明】
【００１８】
１    便器
２    リム（便器本体）
２ａ  便座取付部
３    便座装置
３ａ  裏面
６ａ，６ｂ  磁性体
１２ａ，１２ｂ  磁石
１３ａ，１３ｂ  ピボット（位置決め手段）
１４ａ，１４ｂ  小穴（位置決め手段）
【図１】
2007289411.tif 000003
【図２】
2007289411.tif 000004